【事件の表示】
　平成　９年特許願第２２５８７５号「中空糸膜型人工肺」拒絶査定不服審判事件〔平成１１年　２月２３日出願公開、特開平１１−　４７２６８号〕について、次のとおり審決する。
【結　論】
　本件審判の請求は、成り立たない。
【理　由】
１．手続の経緯
　本願は、平成９年８月６日の出願であって、平成１８年４月１０日付けで拒絶査定がなされ、これに対し同年５月１６日に拒絶査定不服審判の請求がなされるとともに、同年６月１３日付けで手続補正がなされたものである。
　
２．平成１８年６月１３日付け手続補正についての補正却下の決定
［補正却下の決定の結論］
　平成１８年６月１３日付け手続補正（以下、「本件補正」という。）を却下する。
　
［理由］
（１）補正後の本願発明
　本件補正により、特許請求の範囲の請求項１は以下のように補正された。
　　
「多数のガス交換用中空糸膜からなる筒状中空糸膜束と、該筒状中空糸膜束を収納するハウジングと、前記中空糸膜の両端を開口した状態で、前記筒状中空糸膜束の両端部を前記ハウジングに固定する隔壁と、前記ハウジング内に形成された血液室と連通する血液流入口および血液流出口と、前記中空糸膜内部と連通するガス流入口およびガス流出口とを有する中空糸膜型人工肺であって、前記ハウジングは、側面に血液流通用開口を有する内側筒状部材と、該内側筒状部材を収納する外側筒状部材とを備え、前記筒状中空糸膜束は、前記内側筒状部材の外面に、前記中空糸膜が１本あるいは複数本同時に、且つすべての中空糸膜が実質的に一定の間隔となるように前記内側筒状部材に巻きつけられることにより形成されたものであり、かつ、前記中空糸膜と該中空糸膜と実質的に平行となっているとともに隣り合う中空糸膜との距離は、中空糸膜の外径の１／１０〜１／１となっており、さらに、前記筒状中空糸膜束は、実質的に均一な厚さ（ｘ）を有し、かつ、該筒状中空糸膜束の外側面と内側面間により形成される筒状空間に対する中空糸膜の充填率（ｙ：％）と、前記筒状中空糸膜束の厚さ（ｘ：ｍｍ）との関係が、下記式
　ｙ≦−０．７５ｘ＋８２　ｙ≧−０．８５ｘ＋７４　５≦ｘ≦３１
　５３≦ｙ≦７３を満たすものとなっており、かつ、前記中空糸膜束と前記外側筒状部材間に形成される筒状空間となっている血液室を備えることを特徴とする中空糸膜型人工肺。」（下線部は補正箇所を示す。）
　　
（２）補正の目的の適否
　本件補正は、請求項１に記載された発明を特定するために必要な事項である「中空糸膜」について、「前記中空糸膜と該中空糸膜と実質的に平行となっているとともに隣り合う中空糸膜との距離は、中空糸膜の外径の１／１０〜１／１となっており」との限定を付加し、「筒状中空糸膜束は、実質的に均一な厚さ（ｘ）を有し、かつ、該筒状中空糸膜束の外側面と内側面間により形成される筒状空間に対する中空糸膜の充填率（ｙ：％）」と「筒状中空糸膜束の実質的に均一な厚さ（ｘ：ｍｍ）」との関係について、「ｙ≦−０．７５ｘ＋８２　ｙ≧−０．８５ｘ＋７４　５３≦ｙ≦７３」と減縮する限定をするものであり、かつ、補正後の請求項１に記載された発明は、補正前の請求項１に記載された発明と、産業上の利用分野及び解決しようとする課題が同一であるので、本件補正は特許請求の範囲の減縮を目的とするものに該当する。
　
（３）独立特許要件
　そこで、本件補正後の前記請求項１に記載された事項により特定される発明（以下、「本願補正発明」という。）が特許出願の際独立して特許を受けることができるものであるか（平成１８年改正前特許法第１７条の２第５項において準用する同法第１２６条第５項の規定に違反しないか）について、以下に検討する。
　　
ア．引用例
　平成１７年９月２６日付けの拒絶の理由で引用された刊行物である特開平２−９９０６７号公報（以下、「引用例１」という。）には、図面とともに次の事項が記載されている。
　　
（ア）「多孔性の内筒に簾状の中空糸シートを巻回して、多孔性の外筒内に収容した中空糸シートの積層体を円筒状ハウジング内に収納し、該中空糸を、その両端が開口するようにハウジングの両端を閉塞する隔壁で支持するとともに、該ハウジングの上端に中空糸の内部空間と連通する第１の流体の入口または出口と、該多孔性の内筒の内部と連通する第２の流体の入口または出口を有する上部ヘッドカバーを設け、かつ該ハウジングの下端に中空糸の内部空間と連通する第１の流体出口または入口を有する下部ヘッドカバーを設け、しかも該ハウジングの上部側壁に第２の流体の出口または入口を設けたことを特徴とする中空糸型の流体処理装置。」（特許請求の範囲）
　　
（イ）「本発明は膜を利用した流体処理装置、特に血液を処理するために好適な装置に関するものである。
　この種の装置は、一般に血液透析器、人工肺、血漿分離器、加湿器などに用いられる。
　ここでは説明の便宜上、人工肺に適用した場合について説明する。」（第１頁右下欄１〜６行）　
　　
（ウ）「本発明の流体処理装置は多孔性の内筒に簾状に形成された中空糸シートを巻回し、これを多孔性の外筒内に収容しているため、円筒状に巻回された中空糸シートの積層体は内筒と外筒で狭持されることになる。そのため積層された中空糸間に縦糸と中空糸とで規制された流路が形成されてチャンネリングが防止でき、しかも圧力損失を減少させることができる。」（第３頁左上欄５〜１２行）
　　
（エ）「第１図には本発明の流体処理装置の一例である人工肺の断面図が示されている。該人工肺は円筒状ハウジング１内にガス交換室を形成している。そして該ガス交換室に、多孔性の内筒３に１本または複数本の中空糸の束を縦糸で簾状に形成した中空糸シートを巻回して、多孔性の外筒４内に収容した中空糸シートの積層体５が収納されている。上記中空糸はその両端が開口するようにハウジングの両端を閉塞する隔壁６、６′で支持固定されている。ハウジングの上端は、中空糸の内部空間と連通するガスの入口１０と多孔性の内筒３の内部と連通する血液の入口１１を有する上部ヘッドカバー７で覆われている。またハウジングの下端は中空糸の内部空間と連通するガスの出口１３を有する下部へッドカバ−８で覆われている人工肺では上記下部ヘッドカバー８は必ずしも設ける必要はない。この場合にはガスは隔壁に埋め込まれた中空糸の端部開口から直接大気に放出される。また円筒状ハウジング１の上部側壁に血液の出口１２が設けられている。第１図では血液の入口１１の先端は中空芯管２の上部を閉塞する隔壁６を挿通して多孔性の内筒３の内部に開口した例を示している。・・・（中略）・・・上記中空糸シートの積層体５は第４図に第１図のＡ−Ａ断面図で示すように、多孔性の内筒３に簾状中空糸シートを巻回し、これに２つ割りの多孔性の外筒４を被せて、この外筒の接合部を超音波接着により接着一体化している。
　血液の入口１１から多孔性の内筒３の内部に導入された血液は多孔性の内筒に穿設された開口からガス交換室に流入した該ガス交換室を外周方向に向って流れ円筒状ハウジング１の上部側壁に設けられた血液の出口１２から流出する。一方ガスの入口１０から中空糸の内部に導入されたガスは円筒状ハウジングの下部に向って流れる。」（第３頁左上欄１６行〜左下欄１８行）
　　
（オ）「このような外部灌流型人工肺において、多孔性の内筒２（「内筒３」の誤り）に巻回して、外筒４内に収容される簾状中空糸シートは、例えば第５図に示すように平行に配列された１本の中空糸または複数本の中空糸の束４１を縦糸４０で簾状に形成された一枚の中空糸シ−トを多孔性内筒３上に連続的に巻き付けても、あるいは第６図に示すように２枚の簾状中空糸シートを上部と下部の中空糸が交互に角度を持つように重ねた状態で多孔性内筒３に巻き付けてもよい。この場合には隣接する中空糸を交差させることができて血液のチャンネリングがより改善される。」（第３頁左下欄１９行〜右下欄１０行）
　　
（カ）「上記人工肺のガス交換室に収納される簾状の形成中空糸シートは次のような条件を満たしていることが好ましい。
　まず簾状シートの縦糸の密度Ｗ（本／ｃｍ）は、高いガス交換能を有し、かつ血液の滞留やチャンネリング防止、低圧力損失、低プライミングボリュームの外部灌流の人工肺を再現性良く実現するために、
　０．２≦Ｗ≦４．０
であることが好ましい。」（第４頁右下欄１６行〜第５頁左上欄５行）
　　
（キ）「実験例１
　中空糸として、外径３６０μ、内径２８０μ、空孔率約５０％のポリプロピレン多孔性中空糸を１本づつ長さ方向の密度（Ｆ）が１７本／ｃｍとなるように配列して、縦糸として３０デニール（１２フイラメント）のポリエステル糸を用いて密度（Ｗ）が１本／ｃｍとなるように中空糸を簾状に編組して第５図に示す中空糸シートを形成した。この中空糸シートを８ｍｍ間隔で直径３ｍｍの多数の開孔を穿設した厚さ２．５ｍｍのポリプロピレン製の多孔性内筒（直径２ｃｍ）に単位厚さ当りの積層枚数（Ｉ）か３０枚／ｃｍ、厚さ（Ｔ）が３ｃｍとなるように巻回し、その周囲を８ｍｍ間隔て直径３ｍｍの多数の開孔を穿設した厚さ２．５ｍｍのポリプロピレン製の２つ割りの多孔性外筒（直径８．５ｃｍ）で狭持して、該外筒の接合部を超音波接着により接着して中空糸シートの積層体を形成した。この積層体のＦ×Ｉは５１０であり、有効膜面積は１．４８ｍ２であった。この積層体を直径１０ｃｍ厚さ２．５ｍｍの円筒状ハウジング内に収納した。
そして中空糸の両端をハウジングの両端に形成されたポリウレタン樹脂の隔壁で支持させて第１図に示す装置を作製した。」（第６頁右上欄１４行〜左下欄１５行）
　
　第４図には、第１図のＡ−Ａ断面図が図示されている。
　
　第１図には、上記記載事項（ア）、（エ）及び第４図を併せみれば、円筒状ハウジング１内にガス交換室を備え、ガス交換室内に、多孔性の内筒３に中空糸の束を簾状に形成した中空糸シートを巻回して、多孔性の外筒４内に収容した中空糸シートの積層体５が収納され、該中空糸シートの積層体５を、その両端が開口するように前記円筒状ハウジング１の両端を閉塞する隔壁６、６′で支持するとともに、前記円筒状ハウジング１の上端は、中空糸の内部空間と連通するガスの入口１０と、多孔性の内筒３の内部と連通する血液の入口１１を有する上部ヘッドカバー７で覆われ、前記円筒状ハウジング１の下端は中空糸の内部空間と連通するガスの出口１３を有する下部ヘッドカバ−８で覆われ、前記円筒状ハウジング１の上部側壁に血液の出口１２が設けられ、多孔性の外筒４と円筒状ハウジング１の側壁との間に形成される円筒状の空間を有する中空糸膜を利用した中空糸型の流体処理装置が図示されている。
　
　上記記載事項（ア）〜（キ）及び図示内容を総合し、同一符号が付された用語を統一して整理すると、引用例１には次の発明（以下、「引用発明」という。）が記載されていると認められる。
「円筒状ハウジング１内のガス交換室内には、多孔性の内筒３に中空糸の束を簾状に形成した中空糸シートを巻回して、多孔性の外筒４内に収容した中空糸シートの積層体５が収納され、該中空糸シートの積層体５を、その両端が開口するように前記円筒状ハウジング１の両端を閉塞する隔壁６、６′で支持するとともに、前記円筒状ハウジング１の上端は、中空糸の内部空間と連通するガスの入口１０と、多孔性の内筒３の内部と連通する血液の入口１１を有する上部ヘッドカバー７で覆われ、前記円筒状ハウジング１の下端は中空糸の内部空間と連通するガスの出口１３を有する下部ヘッドカバー８で覆われ、前記円筒状ハウジング１の上部側壁に血液の出口１２が設けられている膜を利用した中空糸型の流体処理装置であって、
　前記多孔性の内筒３に巻回される簾状の中空糸シートは、平行に配列された１本の中空糸または複数本の中空糸の束４１を縦糸４０で簾状に形成した一枚の中空糸シ−トを多孔性の内筒３上に連続的に巻き付けて形成したものであり、
　前記中空糸として、外径３６０μ、内径２８０μ、のポリプロピレン多孔性中空糸を１本づつ長さ方向の密度（Ｆ）が１７本／ｃｍとなるように配列して簾状に編組した中空糸シートを、多孔性の内筒３に厚さ（Ｔ）が３ｃｍとなるように巻回した中空糸シートの積層体５とし、
　多孔性の外筒４と円筒状ハウジング１の側壁との間に形成される円筒状の空間を有する膜を利用した中空糸型の流体処理装置。」
　　
イ．対比
　本願補正発明と引用発明とを対比すると、引用発明の「中空糸」は、その機能・構造からみて、本願補正発明の「中空糸膜」に相当し、以下同様に「円筒状ハウジング１」は「ハウジング」に、「隔壁６、６′」は「隔壁」に、「血液の入口１１」は「血液流入口」に、「血液の出口１２」は「血液流出口」に、「ガスの入口１０」は「ガス流入口」に、「ガスの出口１３」は「ガス流出口」に、「多孔性の内筒３」は「内側筒状部材」に、「円筒状ハウジング１の側壁」は「外側筒状部材」に、「厚さ（Ｔ）」は「厚さ（ｘ）」に、「円筒状の空間」は「筒状空間」にそれぞれ相当する。
　また、引用発明の上記記載事項（イ）及び（カ）からみて、引用発明の「中空糸」は、簾状の中空糸シートを形成し、「多孔性の内筒３」に該中空糸シートを巻回して「中空糸シートの積層体５」として「円筒状ハウジング１」内のガス交換室に収納されている。また、「中空糸シートの積層体５」は、血液に対してガス交換を行う機能を奏するものであるから、引用発明の「中空糸」は、本願補正発明の「ガス交換用中空糸膜」に相当し、引用発明の「中空糸シートの積層体５」は、本願補正発明の「多数のガス交換用中空糸膜からなる筒状中空糸膜束」に相当する。
　また、引用発明の「中空糸シートの積層体５」は、「円筒状ハウジング１」内のガス交換室に収納されているから、引用発明の「円筒状ハウジング１」は、本願補正発明の「筒状中空糸膜束を収納するハウジング」に相当する。
　また、上記記載事項（イ）及び（カ）からみて、引用発明の「膜を利用した中空糸型の流体処理装置」は、血液を処理するための人工肺として用いるものであって、人工肺のガス交換室に収納される「中空糸シートの積層体５」によって、血液のガス交換が行われるものであるから、引用発明の「膜を利用した中空糸型の流体処理装置」は本願補正発明の「中空糸膜型人工肺」に相当する。
　また、引用発明の「中空糸シートの積層体５を、その両端が開口するように前記円筒状ハウジング１の両端を閉塞する隔壁６、６′で支持する」と本願補正発明の「中空糸膜の両端を開口した状態で、前記筒状中空糸膜束の両端部を前記ハウジングに固定する隔壁」とは同義といえる。
　また、引用発明は、「円筒状ハウジング１」の上端を覆う「上部ヘッドカバー７」に「多孔性の内筒３の内部と連通する血液の入口１１」を備え、「円筒状ハウジング１の上部側壁に血液の出口１２」を備えているから、引用発明は、本願補正発明の「ハウジング内に形成された血液室と連通する血液流入口および血液流出口」を備えているといえる。
　また、引用発明は、「円筒状ハウジング１」の上端を覆う「上部ヘッドカバー７」に「中空糸の内部空間と連通するガスの入口１０」と、「円筒状ハウジング１」の下端を覆う「下部ヘッドカバー８」に「中空糸の内部空間と連通するガスの出口１３」を備えているから、引用発明は、本願補正発明の「中空糸膜内部と連通するガス流入口およびガス流出口とを有する」を備えているといえる。
　また、引用発明の上記記載事項（エ）の「血液の入口１１から多孔性の内筒３の内部に導入された血液は多孔性の内筒に穿設された開口からガス交換室に流入した該ガス交換室を外周方向に向って流れ円筒状ハウジング１の上部側壁に設けられた血液の出口１２から流出する。」の記載からみて、引用発明の「円筒状ハウジング１内のガス交換室」に設けられる「多孔性の内筒３」は、本願発明の「側面に血液流通用開口を有する内側筒状部材」といえる。
　したがって、引用発明の「円筒状ハウジング１」は、「円筒状ハウジング１」の「側壁」内に、側面に血液流通用開口を有する「多孔性の内筒３」を備えているといえるから、引用発明の「円筒状ハウジング１」は、本願補正発明の「ハウジングは、側面に血液流通用開口を有する内側筒状部材と、該内側筒状部材を収納する外側筒状部材」を備えているといえる。
　また、引用発明は、「多孔性の外筒４と円筒状ハウジング１の側壁との間に形成される円筒状の空間を有」し、「中空糸シートの積層体５」は「多孔性の外筒４」内に収容され、「血液の出口１２」が設けられている「円筒ハウジング１」の「側壁」は、本願発明の「外側筒状部材」に相当しているから、引用発明も本願補正発明の「中空糸膜束と前記外側筒状部材間に形成される筒状空間となっている血液室」を備えているといえる。
　また、引用発明の「中空糸シートの積層体５」は、「平行に配列された１本の中空糸または複数本の中空糸の束４１を縦糸４０で簾状に形成」した「中空糸シート」を、「多孔性の内筒３上に連続的に巻き付けて」形成したものであるから、引用発明の「中空糸シートの積層体５」は、本願補正発明の「筒状中空糸膜束は、前記内側筒状部材の外面に、前記中空糸膜が１本あるいは複数本同時に、且つすべての中空糸膜が実質的に一定の間隔となるように前記内側筒状部材に巻きつけられることにより形成されたもの」に相当している。
　また、上記記載事項（キ）から、引用発明は、中空糸として、外径３６０（ミクロン）のものを用いて、ポリプロピレン多孔性中空糸を１本づつ長さ方向の密度（Ｆ）が１７本／ｃｍとなるように配列して中空糸を簾状に編組した中空糸シートを形成しているから、引用発明の平行で隣り合う中空糸膜間の距離を求めれば、（１０，０００（ミクロン）−１７（本）×３６０（ミクロン））／（１７（本）−１）＝２４２．５（ミクロン）であるから、中空糸の外形３６０ミクロンとの関係において、本願補正発明の「中空糸膜と該中空糸膜と実質的に平行となっているとともに隣り合う中空糸膜との距離は、中空糸膜の外径の１／１０〜１／１となっており」を満たしているといえる。
　また、上記記載事項（ウ）からみて、引用発明は、形成される血液の流路の「チャンネリング」の防止、すなわち、ガス交換室を通過する血液の偏流を防止するものであるから、引用発明の「中空糸シートの積層体５」は、「実質的に均一な厚さ」となるように形成されるものである。
　また、引用発明の「中空糸シートの積層体５」は、中空糸シートを「多孔性の内筒３に厚さ（Ｔ）が３ｃｍとなるように巻回し」て形成しているから、本願補正発明の中空糸膜束の厚さ（ｘ：ｍｍ）の「５≦ｘ≦３１」の条件を満たしている。
　
　したがって、両者は、本願補正発明の記載ぶりに則って表現すると、次の点で一致する。
　　
「多数のガス交換用中空糸膜からなる筒状中空糸膜束と、該筒状中空糸膜束を収納するハウジングと、前記中空糸膜の両端を開口した状態で、前記筒状中空糸膜束の両端部を前記ハウジングに固定する隔壁と、前記ハウジング内に形成された血液室と連通する血液流入口および血液流出口と、前記中空糸膜内部と連通するガス流入口およびガス流出口とを有する中空糸膜型人工肺であって、前記ハウジングは、側面に血液流通用開口を有する内側筒状部材と、該内側筒状部材を収納する外側筒状部材とを備え、前記筒状中空糸膜束は、前記内側筒状部材の外面に、前記中空糸膜が１本あるいは複数本同時に、且つすべての中空糸膜が実質的に一定の間隔となるように前記内側筒状部材に巻きつけられることにより形成されたものであり、かつ、前記中空糸膜と該中空糸膜と実質的に平行となっているとともに隣り合う中空糸膜との距離は、中空糸膜の外径の１／１０〜１／１となっており、さらに、前記筒状中空糸膜束は、実質的に均一な厚さ（ｘ）を有し、前記筒状中空糸膜束の厚さ（ｘ：ｍｍ）が、下記の条件
　５≦ｘ≦３１
を満たすものとなっており、かつ、前記中空糸膜束と前記外側筒状部材間に形成される筒状空間となっている血液室を備える中空糸膜型人工肺。」
　
　そして、両者は次の点で相違する。
　
（相違点）
　本願補正発明は、該筒状中空糸膜束の外側面と内側面間により形成される筒状空間に対する中空糸膜の充填率（ｙ：％）と、前記筒状中空糸膜束の厚さ（ｘ：ｍｍ）との関係が、下記式
　ｙ≦−０．７５ｘ＋８２
　ｙ≧−０．８５ｘ＋７４
　５≦ｘ≦３１
　５３≦ｙ≦７３
を満たすものであるが、引用発明はその点が明らかでない点。
　　
ウ．当審の判断
　上記相違点について検討する。
　　
　上記記載事項（イ）ないし（カ）に示されるように、引用発明の「膜を利用した中空糸型の流体処理装置」も、血液中の二酸化炭素を除去し、血液中に酸素を添加するガス交換を行うための中空糸膜を人工肺に用いるものであって、血液を中空糸膜外側へ流し、ガスを中空糸膜の内部へ流す方式を採用し、装置内部における血液の循環の際に生じるチャンネリングを防止しつつ、ガス交換能の向上と、発生する圧力損失を低減することを課題とするものであり、引用発明と本願補正発明の課題は共通している。
　そして、引用発明の人工肺において、「中空糸シートの積層体５」の厚さ（Ｔ）と、「多孔性の外筒４」と「円筒状ハウジング１」の側壁との間に形成される円筒状の空間との関係をどのように定めるか、すなわち円筒状の空間（本願補正発明の「筒状空間」）に対する中空糸膜の充填率をどの程度とすべきかは、発生する圧力損失の値と、ガス交換能とに基づき当業者が適宜に配慮して決める事項であるといえる。
　さらに、本願補正発明の明細書の【表７】ないし【表１２】に示される実施例と比較例の試験結果を参照しても、顕著な効果の差異が存在するものとはいえず、本願補正発明の上記相違点に係る発明特定事項で限定される数値範囲に臨界的意義があるとも認められない。
　　
　したがって、上記相違点に係る本願補正発明の特発明特定事項は、当業者であれば、引用発明に基づき、適宜に選択し得る設計的事項の範疇といえる。
　　
　そして、本願補正発明が奏する作用効果も、引用発明から当業者が予測し得る範囲のものであって、格別なものとはいえない。
　
　したがって、本願補正発明は、引用発明に基いて当業者が容易に発明をすることができたものであるから、特許法第２９条第２項の規定により特許出願の際独立して特許を受けることができない。
　
（４）むすび
　以上のとおり、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　
３．本願発明
　本件補正は上記のとおり却下されたので、本願の請求項１に係る発明（以下、「本願発明」という。）は、平成１７年１２月１日付けの手続補正書により補正された明細書の、特許請求の範囲の請求項１に記載された事項により特定される次のとおりのものである。
　　
「多数のガス交換用中空糸膜からなる筒状中空糸膜束と、該筒状中空糸膜束を収納するハウジングと、前記中空糸膜の両端を開口した状態で、前記筒状中空糸膜束の両端部を前記ハウジングに固定する隔壁と、前記ハウジング内に形成された血液室と連通する血液流入口および血液流出口と、前記中空糸膜内部と連通するガス流入口およびガス流出口とを有する中空糸膜型人工肺であって、前記ハウジングは、側面に血液流通用開口を有する内側筒状部材と、該内側筒状部材を収納する外側筒状部材とを備え、前記筒状中空糸膜束は、前記内側筒状部材の外面に、前記中空糸膜が１本あるいは複数本同時に、且つすべての中空糸膜が実質的に一定の間隔となるように前記内側筒状部材に巻きつけられることにより形成されたものであり、さらに、前記筒状中空糸膜束は、実質的に均一な厚さ（ｘ）を有し、かつ、該筒状中空糸膜束の外側面と内側面間により形成される筒状空間に対する中空糸膜の充填率（ｙ：％）と、前記筒状中空糸膜束の厚さ（ｘ：ｍｍ）との関係が、下記式
　ｙ≦−０．７５ｘ＋８４　　　　　（式１）
　ｙ≧−０．８５ｘ＋７３　　　　　（式２）
　５≦ｘ≦３１　　　　　　　　　　（式３）
　５０≦ｙ≦７５　　　　　　　　　（式４）
を満たすものとなっており、かつ、前記中空糸膜束と前記外側筒状部材間に形成される筒状空間となっている血液室を備えることを特徴とする中空糸膜型人工肺。」
　
４．引用例
　原査定の拒絶の理由に引用した引用例及びその記載事項は、上記「２．（３）ア」に記載したとおりである。
　　
５．対比・判断
　本願発明は、本願補正発明の特定事項のうち、「中空糸膜」について、「前記中空糸膜と該中空糸膜と実質的に平行となっているとともに隣り合う中空糸膜との距離は、中空糸膜の外径の１／１０〜１／１となっており」との限定を省略し、「筒状中空糸膜束は、実質的に均一な厚さ（ｘ）を有し、かつ、該筒状中空糸膜束の外側面と内側面間により形成される筒状空間に対する中空糸膜の充填率（ｙ：％）」と「筒状中空糸膜束の実質的に均一な厚さ（ｘ：ｍｍ）」との関係について、「ｙ≦−０．７５ｘ＋８２　ｙ≧−０．８５ｘ＋７４　５３≦ｙ≦７３」と減縮したものを「ｙ≦−０．７５ｘ＋８４　ｙ≧−０．８５ｘ＋７３　５０≦ｙ≦７５」と拡張するものである。
　そうすると、本願発明の発明特定事項をすべて含み、さらに、他の発明特定事項を付加したものに相当する本願補正発明が、上記「２．（３）ウ」で述べたように、引用発明に基いて当業者が容易に発明をすることができたものであるから、本願発明も、同様に、引用発明に基いて当業者が容易に発明をすることができたものである。
　　
６．むすび
　したがって、本願発明は、引用発明に基いて当業者が容易に発明をすることができたものであるから、特許法第２９条第２項の規定により特許を受けることができない。
　
　よって、結論のとおり審決する。